Podtech/llm-jp-corpus-v4-ja_patent huggingface dataset:
(57)【要約】      （修正有）【課題】ヤシ殻活性炭を含浸させた不織布のフィルターを使い、廉価で簡単に且つ効果的な脱臭を行えるボックス型脱臭装置を提供する。【解決手段】ボックス型脱臭装置の本体部分１、にプリーツ加工をした活性炭不織布フィルター２を使うことで、そこを通過する排出ガスがフィルターに接触する時間、及び面積を大きくし煙や臭い成分の吸着能力を高める。【選択図】図１
0003186832.tif 000002
【実用新案登録請求の範囲】
【請求項１】
ヤシ殻活性炭の粉末を含浸付着させた厚さ３〜５ミリメートルの不織布のフィルターを作成し、これにプリーツ加工を施し、波板状になったフィルターを５〜６枚等間隔に平行に並べる。そのとき一枚のフィルターの山の部分が平行に並んだ他のフィルターの谷の部分に１０ミリメートル程度入り込むように重ねてボックス状に仕上げケースに組み込む。
【請求項２】
ボックス内の波板状フィルターの隙間を厨房から排出されたガスが通過するときにフィルターの山と谷の部分に当たり風速が落ちることにより含浸付着された活性炭との接触時間が長くなり、又  接触面積が増えガスの中に含まれた臭い成分が活性炭に吸着され、谷の部分には油分等の汚れが付着して、排出される煙や臭いの量が軽減される。
【請求項３】
波板状フィルターと平行して排ガスが流れるため圧力損失は低く抑えられ煙の逆流もフィルターの目詰まりも防ぐことができる。
【請求項４】
本考案の脱臭装置は既存のダクトの吹き出し口にケースに入れて装着するだけなので特殊な電気工事や取り付け技術等は必要としない。
【考案の詳細な説明】
【技術分野】
【０００１】本考案は厨房を設置する店舗等から排出される、調理臭や、煙が大気中に拡散されるのを防ぎ、又は軽減し、周辺環境の大気の状態を良好に保つことを目的としたものである。
【背景技術】
【０００２】従来の脱臭装置については電気集塵機やオゾン発生装置などの様に規模が大きく又設置のためには電気工事や配管工事などの特殊な技術も必要とされ、且つ、一台当たりの単価も相当な金額に上るものが大半であった。しかし、その割には余り芳しい効果は上がっていなかった。その為、規模の小さい店舗等では普及の妨げになっていた。
【考案の概要】
【考案が解決しようとする課題】
【０００３】厨房を設置している店舗等から排出される煙や臭いの対策としては、電気集塵機やオゾン発生装置が主流であるが、その設置については規模が大きく費用も嵩み、又維持のための負担も大きく掛かっていた、しかし、その割には脱臭、集塵効果は今一つ満足の得られる結果は出ていなかった。その為、周辺地域の空気環境を汚染し住民からの苦情やトラブルの原因となっているのが現状である。本考案は、この課題を解消し環境保全に寄与するために成されたものである。
【課題を解決するための手段】
【０００４】電気工事や基礎工事等が必要とされる大掛かりな集塵装置などに代わり脱臭能力に優れた天然由来のヤシ殻活性炭を使った装置である。
活性炭を含浸付着させた不織布のフィルターをプリーツ状に加工し、そのフィルターを数枚、等間隔かつ平行に並べボックス状の脱臭装置を作成する。出来上がったボックスを排気ダクトの吹き出し口付近にガスの流れに沿うように設置する。
設置された脱臭ボックスの内部に平行に並べたフィルターの波状の隙間を厨房から排出された臭いや煙が通り抜けるときに活性炭に接触することにより、臭いの原因物質を吸着させる効果を持つ。結果、周辺に排出される煙や臭いは軽減され環境保全対策になる。
【考案の効果】
【０００５】ヤシ殻活性炭という脱臭能力に優れた天然由来の物質を不織布のフィルターに含浸させることにより安価なうえ、且つ簡易な構造で煙や臭いを軽減することが出来る脱臭装置であり店舗側としても設置やメンテナンスの費用も安く済み大掛かりな設置場所も必要とせず、又  近隣住民からのクレーム対策にもなり、且つ周辺地域の環境保全にも役立つものと考える。
【考案を実施するための形態】
【０００６】ヤシ殻活性炭の粉末を厚さ３〜５ミリメートルの不織布に含浸付着させる。それをプリーツ状に加工し波板状のフィルターを作る。
出来上がったフィルターを等間隔の隙間を開けて平行に並べ固定する、このとき一枚の山の部分が平行に並んだ別の一枚の谷の部分に１０ミリメートル程度、入り込んだ状態にし５〜６列並べ間隔をあけて重なり合った立方体のボックスをつくる。フィルターを固定させるために四面を囲い、他の二面は排ガスが通り抜けることが出来るように開放しておく。ボックス状の脱臭装置はダクトの排出口に風の流れに平行に設置する。（図１）
【０００７】フィルターをプリーツ状に折り、１０ミリメートル程度の山と谷の重なり部分を作ることで厨房から排出されたガスが活性炭に接触する面積及び時間が増え、煙や臭い成分の吸着量が多くなる、結果、脱臭能力が拡大し、排出ガスの大気中への拡散は減少する。（図２）
脱臭装置をボックス状にすることで、ダクトの中に収納することが容易になり排出ガスの量やダクトの大きさに合わせて個数を調整して対応することが出来る。
【図面の簡単な説明】
【０００８】
【図１】脱臭装置本体とフィルターの形、及び並べ方を示した斜視図である。
【図２】脱臭装置内のフィルターの重なり方を示した平面図である。
【符号の説明】
【０００９】１  脱臭装置本体
２  活性炭不織布フィルター
３  フィルターを収納したケース
４  フィルター同士の重なり部
【図１】
0003186832.tif 000003
【図２】
0003186832.tif 000004
【手続補正書】
【提出日】平成25年8月15日(2013.8.15)
【手続補正１】
【補正対象書類名】実用新案登録請求の範囲
【補正対象項目名】全文
【補正方法】変更
【補正の内容】
【実用新案登録請求の範囲】
【請求項１】
脱臭能力の有るヤシ殻活性炭を含浸させた不職布の板を使って作成したボックス状の脱臭装置で、厨房から排出される油煙や臭いを軽減することを特徴とする。
【請求項２】
ヤシ殻活性炭を含浸させてプリーツ加工を施した板状の不織布を５〜６枚、等間隔に縦に平行に並べ、板を固定させる為に四面を囲い、他の二面は排ガスが通り抜ける事が出来るように開放した状態の立方体であり、ボックス内を排ガスが通過する時に、プリーツフィルターの山と谷の部分に接触することにより、油煙や臭い成分が活性炭に吸着されることを特徴とする請求項１に記載の脱臭装置。
(57)【要約】      （修正有）【課題】走行、駐車ができる単車用補助輪を提供する。【解決手段】補助輪を金属、タイヤで形成し、それを単車の後輪の横に取り付ける。【選択図】図１
0003186836.tif 000002
【実用新案登録請求の範囲】
【請求項１】
単車の補助輪、単車用エアーバンパーは、金属、タイヤで形成し、それを単車の後輪の横に取り付けることを特徴とする単車用補助輪。
【考案の詳細な説明】
【技術分野】
【０００１】本考案は、金属、タイヤからなる単車の補助輪に関する。
【背景技術】
【０００２】補助輪で、走行、駐車ができる。
【考案の概要】
【考案が解決しようとする課題】
【０００３】単車をより便利に。
【課題を解決するための手段】
【０００４】単車に補助輪を取り付ける。
【考案の効果】
【０００５】単車に補助輪を取り付けることで、走行、駐車ができる。
【図面の簡単な説明】
【０００６】
【図１】本考案の単車用エアーバンパー
【考案を実施するための形態】
【０００７】単車の補助輪、単車用エアーバンパーは、金属、タイヤで形成し、それを単車の後輪の横に取り付けることを特徴とする単車用補助輪。
【図１】
0003186836.tif 000003
【手続補正書】
【提出日】平成25年8月12日(2013.8.12)
【手続補正１】
【補正対象書類名】実用新案登録請求の範囲
【補正対象項目名】全文
【補正方法】変更
【補正の内容】
【実用新案登録請求の範囲】
【請求項１】
金属、タイヤで形成した単車用補助輪。
(57)【要約】      （修正有）【議題】構成が簡単でかつ熱効率の高い熱磁気エンジンを提供する。【解決手段】回転体６に所定の寸法の感温磁性材料１の薄板を適度な隙間をもって並べて装着して円筒状のローターを形成し、ローターの円周側面の近接位置に磁石２を配置し、ローターの円周面近接位置の上側あるいは下側に加熱物導入口４および冷却物導入口５を設けたことを特徴とする。【選択図】図１
0003186831.tif 000002
【実用新案登録請求の範囲】
【請求項１】
回転体に所定の寸法の感温磁性材料の薄板を適度な隙間をもって並べて装着して円筒状のロ−タ−を形成、あるいは感温磁性材料で類似したロ−タ−を形成し、ロ−タ−の円周側面の近接位置に磁石を配置し、ロ−タ−の円周面近接位置の上側あるいは下側に加熱物導入口および冷却物導入口を設けた熱磁気エンジン。
【考案の詳細な説明】
【技術分野】
【０００１】  本考案は、感温磁性材料を用いた熱磁気エンジンに関するものである。
【背景技術】
【０００２】  従来、感温磁性材料を用いた熱磁気エンジンが発明されているが、一般的にディスク型と呼ばれ、感温磁性材料のロ−タ−が固体連続体の円筒あるいは円盤型であり、磁場中におけるロ−タ−に激的な温度差を与えることが難しく、特殊なノズルを用いて高温の加熱物と低温の冷却物を吹きつけていたため、構成が複雑でかつ熱効率が低かった。【０００３】
【特許文献１】特開平９−２６８９６８（熱磁気エンジン）
【考案の開示】
【考案が解決しようとする課題】
【０００４】  本考案は、従来の課題を解決し、構成が簡単でかつ熱効率の高い熱磁気エンジンを提供する目的からなされたものである。
【課題を解決するための手段】
【０００５】  上記の課題を解決する本考案は、以下の通りである。
回転体に所定の寸法の感温磁性材料の薄板を適度な隙間をもって並べて装着して円筒状のロ−タ−を形成、あるいは感温磁性材料で類似したロ−タ−を形成し、ロ−タ−の円周側面の近接位置に磁石を配置し、ロ−タ−の円周面近接位置の上側あるいは下側に加熱物導入口および冷却物導入口を設けた熱磁気エンジンを考案したものである。
【考案の効果】
【０００６】  本考案は、感温磁性材料のロ−タ−が固体連続体ではなく、感温磁性材料の薄板を適度な隙間をもって並べた形状のロ−タ−とすることを特徴としたもので、加熱物や冷却物が液体であっても気体であっても、隙間を経由して導入できるので加熱、冷却効率が高くなり、磁場中における感温磁性材料に激的な温度差を与えて明確な磁性領域と非磁性領域の境界域ができる結果、駆動力の大きい熱磁気エンジンを考案できたものである。【０００７】  現在、感温フェライトやＦｅ−Ｎｉ、Ｆｅ−Ｎｉ−Ｃｒ等の感温磁性材料が生産されており、近年更に磁気特性の優れたＭｎＡｓ、ＭｎＦｅ等の感温磁性材料が発表されているので、これらの素材を用いると１００度Ｃ以下の熱源で駆動する熱磁気エンジンを作ることができ、本考案の熱磁気エンジンはエネルギ−と環境保全上極めて有益なものである。
【考案を実施するための最良の形態】
【０００８】  以下、本考案の実施の形態について図をもって説明する。
図１の上段は、本考案実施例の熱磁気エンジンの平面図であり、下段は側面図であり、図２は断面図である。【０００９】  本実施例は、回転体６に所定の寸法の感温磁性材料１の薄板複数枚を適度な隙間をもって並べて装着して円筒状のロ−タ−を形成し、ロ−タ−の円周側面の内側と外側３個所に磁石２を配置し、ロ−タ−の円周面近接位置の上側に３個所の加熱物導入口４と６個所の冷却物導入口５を設け、受け皿８にて加熱物および冷却物を回収する実施例であり、加熱および冷却に液体を用いた実施例である。【００１０】  実施における感温磁性材料１は、穴をあけた形状、メッシュ形状、折り曲げ形状あるいは無数の感温磁性材料１片を装着したり様々な形状や形態があるが、本考案の最大の特徴は感温磁性材料１のロ−タ−が固体連続体ではなく、適度な隙間を有するロ−タ−であることである。【００１１】  実施においては、磁石２や加熱物導入口４や冷却物導入口５の数には制約はなく、これらの数を多くすると強い駆動力の熱磁気エンジンとすることができる。【００１２】  実施において磁石２に対する加熱物導入口４の位置は、使用する感温磁性材料１の磁気特性と加熱物の温度によって、エネルギ−の変換効率が異なるので、最適な位置で使用することが望ましい。【００１３】  本考案の熱磁気エンジンの最大の特徴は、数十度の温度差の熱エネルギ−で駆動できるので、気体や蒸気や液体の温度差を利用することができ、加熱、冷却にこれらを組み合わせて利用することもできる。【００１４】  図３は、加熱物導入口４と冷却物導入口５を、ロ−タ−の円周面近傍の下側に設けた実施例で、蒸気や気体を利用する場合に有効である。【００１５】  図１において、感温磁性材料１の薄板は垂直に並べられているが、実施においては垂直軸に対して所定の角度をつけて装着すると、加熱物あるいは冷却物の落下あるいは上昇時の運動エネルギ−をロ−タ−の回転エネルギ−に付加して熱効率を高めることもできる。
【図面の簡単な説明】
【００１６】
【図１】  本考案の熱磁気エンジンの平面図および側面図である。
【図２】  本考案の熱磁気エンジンの断面図である。
【図３】  本考案の熱磁気エンジンの他の実施例の断面図である。
【符号の説明】
【００１７】  １…感温磁性材料
２…磁石
３…磁石固定板
４…加熱物導入口
５…冷却物導入口
６…回転体
７…回転軸
８…受け皿
９…台座
１０…加熱物出口
１１…冷却物出口
１２…軸受
【図１】
0003186831.tif 000003
【図２】
0003186831.tif 000004
【図３】
0003186831.tif 000005
【手続補正書】
【提出日】平成25年8月6日(2013.8.6)
【手続補正１】
【補正対象書類名】実用新案登録請求の範囲
【補正対象項目名】全文
【補正方法】変更
【補正の内容】
【実用新案登録請求の範囲】
【請求項１】
回転体に所定の寸法の感温磁性材料の薄板を適度な間隔をもって並べて装着して円筒状のロ−タ−を形成し、ロ−タ−の円周面の近接位置に磁石を配置し、ロ−タ−の円周面近接位置の上側あるいは下側に加熱物導入口および冷却物導入口を設けた熱磁気エンジン。
(57)【要約】      （修正有）【課題】アクセルペダルとブレーキペダルの踏み間違い事故を防止する、自転車のブレーキペダルカバーを提供する。【解決手段】足感知スイッチ２付きブレーキペダルカバー１をブレーキペダル３の上面にブレーキペダルカバー止６にて取付ける。又足感知スイッチ２と結線されたブレーキペダル表示灯と信号音発信機を運転席前面に設けたことを特徴とする。【選択図】図１
0003186839.tif 000002
【実用新案登録請求の範囲】
【請求項１】
自動車のブレーキペダルカバーに足感知スイッチを設ける。
【請求項２】
足感知スイッチには赤外線センサースイッチや感圧スイッチ、ボタンスイッチ等を使用する。
【請求項３】
運転席前面に足感知スイッチと結線されたブレーキペダル表示灯を設ける。
【請求項４】
運転席前面に足感知スイッチと結線された信号音発信機を設ける。
【考案の詳細な説明】
【技術分野】
【０００１】  本考案は自動車のブレーキペダル上面に足感知スイッチ付きブレーキペダルカバーを取付け、足をのせると足感知スイッチが作動して運転席前面に設けられたブレーキペダル表示灯が点灯し、又同時に信号音ピィも発するようにした、自動車の足感知スイッチ付きブレーキペダルカバーに関するものである。
【背景技術】
【０００２】  従来、ブレーキペダルカバーに足感知スイッチを設けたようなものはなかった。
【先行技術文献】
【特許文献】
【０００３】
【特許文献１】特開２０１２−０４６１６１号公報
【考案の概要】
【考案が解決しようとする課題】
【０００４】  自動車のアクセルペダルとブレーキペダルの踏み間違い事故を防止すること。
【課題を解決するための手段】
【０００５】（イ）ブレーキペダルカバー（１）に足感知スイッチ（２）を設ける。
（ロ）ブレーキペダル（３）の上面にブレーキペダルカバー（１）を取付ける。
（ハ）運転席前面にブレーキペダル表示灯（４）と信号音発信機（５）を設ける。
【考案の効果】
【０００６】  したがって、運転者がブレーキペダルカバーに足をのせると足感知スイッチが作動し、運転席前面に設けられたブレーキペダル表示灯が点灯し、又同時に信号音ピィを発して運転者にブレーキペダルカバーに足をのせたことを知らせるので、とくに高齢者によるブレーキペダルとアクセルペダルの踏み間違い事故の防止に役立てることができる。
【図面の簡単な説明】
【０００７】
【図１】  本考案の斜視図である。
【図２】  本考案の電気回路図である。
【考案を実施するための形態】
【０００８】  以下、本考案を実施するための形態について説明する。
足感知スイッチ（２）付きブレーキペダルカバー（１）をブレーキペダル（３）の上面に取付ける。足感知スイッチ（２）には赤外線センサースイッチや感圧スイッチ、ボタンスイッチ等を使用する。又運転席前面に足感知スイッチ（２）と結線されたブレーキペダル表示灯（４）と信号音発信機（５）を設ける。
本考案は以上のような構造であるから、運転者が足をブレーキペダルカバー（１）にのせると足感知スイッチ（２）が作動して運転席前面に設けられたブレーキペダル表示灯（４）が点灯し、又同時に信号音発信機（５）も信号音ピィを発して運転者に知らせるようにしたものである。
【符号の説明】
【０００９】  １  ブレーキペダルカバー    ２  足感知スイッチ    ３  ブレーキペダル
４  ブレーキペダル表示灯    ５  信号音発信機      ６  ブレーキペダルカバー止
【図１】
0003186839.tif 000003
【図２】
0003186839.tif 000004
【手続補正書】
【提出日】平成25年8月12日(2013.8.12)
【手続補正１】
【補正対象書類名】実用新案登録請求の範囲
【補正対象項目名】全文
【補正方法】変更
【補正の内容】
【実用新案登録請求の範囲】
【請求項１】
足感知スイッチを設けた自動車のブレーキペダルカバー。
【請求項２】
前記足感知スイッチは赤外線センサースイッチ、感圧スイッチ又はボタンスイッチである、請求項１に記載のブレーキペダルカバー。
【請求項３】
運転席前面に前記足感知スイッチと結線されたブレーキペダル表示灯を設けた、請求項１に記載のブレーキペダルカバー。
【請求項４】
運転席前面に前記足感知スイッチと結線された信号音発信機を設けた、請求項１に記載のブレーキペダルカバー。
(57)【要約】      （修正有）【課題】前方を掃く刷毛の着脱が容易にできるフローリングワイパーを提供する。【解決手段】家庭でフローリングワイパーを掛けるとき、床を傷める恐れのある硬い塵などが、フローリングシートに付着するのを防ぐため、主に前進させて掃除をするフローリングワイパーの長辺側のすぐ前に、平行して取り付ける、刷毛の長さが２センチメートル程の縦掃きの小さな刷毛を横１列ないし２列にして隙間無く直線状に植え込んだ。また、細長い刷毛の、着脱と上下方向への回転が容易にできるように、フローリングワイパーの上面側に、ピンを用いて接合するための用具を、長軸方向で左右対称となる位置に１個ずつ、柄のなす自由度には影響を与えぬように配置した。【選択図】図２
0003186844.tif 000002
【実用新案登録請求の範囲】
【請求項１】
家庭でフローリングワイパーを掛けるとき、フローリングシートに付着すると、床を傷める恐れのある塵などが、フローリングシートに極力付着せぬように、その前方で侵入を防ぐための刷毛の、着脱が容易にできる、フローリングワイパー
【考案の詳細な説明】
【技術分野】
【０００１】  家庭の掃除には、よく電気掃除機が使用されているが、電気掃除機ではどうしても、極小なほこりが舞い上がるため、それを嫌う人も多い。
【背景技術】
【０００２】  家庭用の電気掃除機で舞い上がるほこりを嫌う人は最近、床や畳の拭き掃除などにフローリングワイパーをよく使用している。
しかし、硬い塵や砂粒がフローリングシートに付着した状態で拭くと、床面を傷つける恐れがある。また、シートに付着し難いごみもあり、戸や襖などの溝の中のごみも、フローリングワイパーでは取り除き難い。
【考案の開示】
【考案が解決しようとする課題】
【０００３】  家庭内での床や畳などの掃除の時に、電気掃除機の、使用時間を極力減少させて、舞い上がるほこりの量を減らすか、時々、箒や塵取りも活用して、できるだけフローリングワイパーの使用範囲が広げられないかを考えた。
【考案を解決するための手段】
【０００４】  フローリングワイパーの前方に刷毛を取り付けて、フローリングシートに付着すると床面を傷つける恐れのある硬い塵や砂粒などを極力、フローリングワイパーを掛けながら、数箇所の狭い範囲に集める。これにより、この塵と刷毛に付着したゴミを、電気掃除機で吸引除去するとしても、その使用時間を大幅に減少させることが期待できる。
【図面の簡単な説明】
【０００５】
【図１】１．上段は、市販のフローリングワイパーの前方に取り付ける刷毛の例。刷毛は市販されている、かべ紙・ふすま紙の仕上げの空気出し・シワのばしに用いられる長さ２５０ｍｍの“おさえハケ”を採用した。２．下段は、フローリングワイパーと、それに取り付けた刷毛接合用具の例。ここで、刷毛接合用具は、フローリングワイパーの柄と平面のなす角度の自由度には、殆んど影響の無いように配置している。また、刷毛と接合用具との接合は、着脱の容易なＵ字型のピンを用いている。
【図２】前掃きの刷毛をフローリングワイパーに取り付けた例。ここで、取り付ける刷毛は、接合用具の支点を中心に上下へ自由に回転できるようにしているため、刷毛の先端は、自重により床や畳などの平面上にソフトに着地し、フローリングワイパーを動かせば、箒のように掃くことができる。そして、刷毛を少し浮かせたいときには、取り外すことなく、刷毛の上部に結び付けている紐を少し上へ引き上げることで、可能となる。
【図１】
0003186844.tif 000003
【図２】
0003186844.tif 000004
【手続補正書】
【提出日】平成25年8月8日(2013.8.8)
【手続補正１】
【補正対象書類名】実用新案登録請求の範囲
【補正対象項目名】請求項１
【補正方法】変更
【補正の内容】
【請求項１】
家庭でフローリングワイパーを掛けるとき、床を傷める恐れのある硬い塵などが、フローリングシートに付着するのを防ぐため、主に前進させて掃除をするフローリングワイパーの長辺側のすぐ前に、平行して取り付ける、刷毛の長さが２センチメートル程の縦掃きの小さな刷毛を横１列ないし２列にして隙間無く直線状に植え込んだ、細長い刷毛の、着脱と上下方向への回転が容易にできるように、フローリングワイパーの上面側に、ピンを用いて接合するための用具を、長軸方向で左右対称となる位置に１個ずつ、柄のなす自由度には影響を与えぬように配置した、フローリングワイパー。
(57)【要約】      （修正有）【課題】スポンジ的が落下すると糸で連結されている棚の上のカンをのせている台座が確実に引き落とされる吹矢射的を提供する。【解決手段】棚９のピン８に掛けて吊すためのリング７と、カン１を載せる台座２と、台座２から伸びたアーム３とを備え、アーム３とスポンジ的５とを糸４でつなげてなる。【選択図】図１
0003186842.tif 000002
【実用新案登録請求の範囲】
【請求項１】
棚のピンに掛けて吊るすスポンジ的とカンを載せる台座から伸びたアームが糸でつながっている吹矢射的用のスポンジ的
【考案の詳細な説明】
【技術分野】
【０００１】吹矢で棚に載せたカンを射落とす射的は矢が軽いので難しい。この考案は棚から吊るしたスポンジ的を吹矢で射落として、その落下エネルギーでカンを引き落とす射的の的の考案である。
【背景技術】
【０００２】棚の上に載せたカンを吹矢の矢で落下させるには、矢が軽くて極めて困難である。この点を解決するために棚のピンにスポンジ的を吊るしておき、スポンジに矢を当てて落とし、その落下エネルギーでカンの台座をを引き落とす手段を考案した。
【考案が解決しようとする課題】
【０００３】スポンジ的が落下すると糸で連結されている棚の上のカンをのせている台座が確実に引き落とされることが本案の課題である。
【課題を解決するための手段】
【０００４】矢がスポンジ的に当たってスポンジ的が落ちたら、その落下エネルギーを効率よくカンの台座に作用させるために、台座にアームをつけて糸でスポンジ的に連結した。
【考案の効果】
【０００５】スポンジ的が落ちると台座のアームを引くので牽引力が増強されて台座に載っているカンが確実に落ちる効果がある。
【考案を実施するための最良の形態】
【０００６】
【実施例】
【０００７】台座にアームをつけてアームの端をスポンジ的に糸でつなぐ。
図１において、棚符号９に載せた台座符号２の上にカン符号１をのせ、スポンジ的符号５を棚符号９のピン符号８にかけて吊るしておく。
吹矢の矢がスポンジ的符号５に当たってスポンジ的符号５が落ちると台座符号２のアーム符号３が強く引かれるのでカン符号１も落下しやくすなる。
【図面の簡単な説明】
【図１】  吹矢射的の正面図
【図２】  吹矢射的の側面図
【符号の説明】
【０００８】１      カン
２      台座
３      台座アーム
４      糸
５      スポンジ的
６      ワイヤアーム
７      リング
８      ピン
９      棚
【図１】
0003186842.tif 000003
【図２】
0003186842.tif 000004
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
棚のピンに掛けて吊すためのリングと、カンを載せる台座と、台座から伸びたアームとを備え、アームとスポンジ的とを糸でつなげてなる、吹矢射的用のスポンジ的。
(57)【要約】      （修正有）【課題】常にペーパー先が垂れ下がってるようにしたトイレットペーパーロールホルダーを提供する。【解決手段】ペーパーロールホルダー１に下側からペーパーロールをセットし、従来のカバーと一体の歯先ではなく、独立した本体に固定してある歯先２の下側からペーパー先を引き出し、ペーパーを切り取る。ペーパーロールと歯先２は常に間隔を保つので、切られたペーパー先は常に垂れ下がる。ロールカバー３の自重でペーパーロールを抑え、カバー３を抑える必要がなく、常にペーパー先は垂れ下がる。【選択図】図１
0003186841.tif 000002
【実用新案登録請求の範囲】
【請求項１】
トイレットペーパーホルダーに、カバーとは別に、切り取り歯先を本体に固定化し、カバーの自重でペーパーロールを抑え、ペーパーロールと歯先に間隔を保つ、切られたペーパー先は、常に垂れ下がるようにした考案です。
【考案の詳細な説明】
【技術分野】
【０００１】本考案は、トイレットペーパー用ホルダーにペーパーロールを従来どうりセットし、上部カバーに手を触れないで、ペーパーを引き出し、ペーパーを切り取る事が出来るペーパーホルダーの考案です。
【背景技術】
【０００２】従来から、トイレットペーパーロールからペーパー端しを引き出し際、ロールカバーを引き上げ、ペーパー先端を掴み必要な量を引き出し、ロールカバーを抑え、ペーパーを切り取っていました。本考案は、ロールカバーを抑える必要はなく、垂れ下がってるペーパー先を掴み必要な量を引き出し、カバーとは別に固定化した切り取り先にペーパーを当て、切り取りできるペーパーロールホルダーです。
【考案の開示】
【考案の解決しようとする課題】
【０００３】ペーパーロールホルダーにセットしたペーパーロールのペーパー端しが常に少し垂れ下がってるようにしたペーパホルダーです。
【課題を解決するための手段】
【０００４】従来のペーパーロールカバーと別に、ペーパーロールに切り取り刃先が触れないように間隔を置き刃先を固定化します。ロールから刃先までの距離があるために切り取られたペーパー先は自然に垂れ下がります。カバーは自重でペーパーロールの回転が押さえる重さにし、カバーに手を触れないで垂れ下がってるペーパー先を掴み引き出し、必要な所で切り取ります。ペーパーロールと刃先きが離れてますのでペーパーが切れるとペーパー先は垂れ下がります。。
【考案の効果】
【０００５】カバーに手を触れなくとも、ペーパー先が常に垂れ下がってるのでペーパー先を迷わず引き出せます。
【実施例】
【０００６】ペーパー先がペーパーロールより、垂れ下がってるので、引き出し易くなりました。
【図面の簡単な説明】
【図１】トイレットペーパーロールホルダー１に、下側からペーパーロールを嵌め込み、ペーパー先を固定してある歯先２の下側から引き出し、ペーパーを切り取ります。ペーパーロールと歯先２の間隔が常に間隔を保ちますので切り取られたロール側のペーパー先は常に垂れ下がります。カバー３は自重でペーパーロールを抑え、切り取る際ロールカバーを抑えなくとも切り取られ、ロールから歯先まで間隔がありますから、ペーパー先は垂れ下がります。
【図１】
0003186841.tif 000003
【手続補正書】
【提出日】平成25年8月14日(2013.8.14)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーホルダー本体と、支点を中心として開閉可能なカバーと、更に、トイレットペーパーホルダー本体に固定され、ペーパーロールに対して前方に間隔を保って設けられた刃先と、を有するトイレットペーパーホルダー。
(57)【要約】      （修正有）【課題】十分な回転数と抗力を得ることができる垂直軸多段式風車を提供する。【解決手段】風杯１は中空の三角錐とし、風杯支持棒３及び取付け板４で東西南北に取付けることで構成される風車を同様に複数作成し、回転軸２の上下にナット６ワッシャ７スリーブ管８を用いて固定してなる垂直軸多段式風車。【選択図】図１
0003186849.tif 000002
【実用新案登録請求の範囲】
【請求項１】
風車は風杯（中空の三角錐）を回転軸から東西南北の４方向に風杯支持棒にて取付けし、さらに中心に穴を開けた取付け板にこれをネジで固定する。同様の風車を回転軸の上下に数段付ける構造とし、抗力（風が風杯を押す力）と回転数を増大させることを特徴とする垂直軸（パドル型）多段式風車。
【考案の詳細な説明】
【技術分野】
【０００１】本考案は垂直軸型風車に関するものである。
【背景技術】
【０００２】垂直軸型風車は抗力（風が風杯を押す力）が不足、回転数が不足などで、発電には一般的に不向きな状態になっている。平成７年に実用新案登録［登録第３００９２５２号］パドル型傘羽根式風車を考案し実施している。【０００３】パドル型傘羽根式風車は抗力は十分に発生し得たが、傘が完全に開く前に回転するため、回転速度が十分に上がらなかった。このため増速機を設置しても発電には困難があった。【０００４】この為、考案の風車では東西南北に風杯を配置し、さらに同位置に風杯を数段重ねることで、十分な回転数と抗力を得ることが出来る様に改善した。
【先行技術文献】
【０００５】
【特許文献】
【特許文献】実用新案登録［登録第３００９２５２号］公報
【０００６】
【非特許文献】
【非特許文献】［さわやかエネルギー風車入門］  著者  牛山  泉  第２章  ６０頁〜８４頁  発行者  株式会社  三省堂
【考案の概要】
【考案が解決しようとする課題】
【０００７】従来の垂直軸型風車は回転数と抗力（風が風杯を押す力）のどちらかが不足と成るため、発電には不向きな状態になっている。
【課題を解決するための手段】
【０００８】本考案の垂直軸（パドル型）多段式風車は風の力を受けるための風杯（中空の三角錐）を風杯支持棒に取付け、次にこれを取付け板の東西南北４方向にネジで固定する。同様の風車を回転軸の上下に数段取付けをした風車である。なお風杯の位置は回転軸の上下、共に同じ東西南北に揃えることが重要である。
【考案の効果】
【０００９】本考案の垂直軸（パドル型）多段式風車は垂直軸型風車の特徴であるどの方向からの風も利用でき、多段式による風杯の凹部に風力を的確に受けることで、充分な回転数と抗力を得ることが出来る。
【図面の簡単な説明】
【００１０】
【図１】本考案の風車の先端部の構造を示す側面図である。
【図２】図１の上部から覗いた平面図である。
【図３】本考案の実施例を示す斜視図である。
【考案を実施するための形態】
【００１１】風杯（中空の三角錐）を回転軸から東西南北の４方向に付け、また同様の風車を回転軸の上下に数段付けることで、抗力（風が風杯を押す力）と回転数の増大が図れる。
【実施例】
【００１２】本考案の垂直軸（パドル型）多段式風車は風力１〜２の弱い風でも自己起動で回転を始める。風杯を多段式にすることで、風杯の凹部への受風面積が大きくなるため、充分な回転数と抗力が得られる。なお風杯の位置は回転軸の上下、共に同じ東西南北の位置に揃えることが重要である。
【産業上の利用可能性】
【００１３】本考案は平成７年に実用新案登録［登録第３００９２５２号］パドル型傘羽根式風車の改良型で、垂直軸風車の抗力及び回転数を増大させることで、発電を行なう。プロペラ型風車と同様に身近な場所でも利用が可能で、蓄電により一般の家庭用電源等に使用できる。
【符号の説明】
【００１４】  １  風杯
２  回転軸（ネジ切付き）
３  風杯支持棒
４  取付け板（中心部分に回転軸を通す穴を開けたもの）
５  ベアリング
６  ナット
７  ワッシャ
８  スリーブ管
９  支柱
１０  横支柱
【図１】
0003186849.tif 000003
【図２】
0003186849.tif 000004
【図３】
0003186849.tif 000005
【手続補正書】
【提出日】平成25年8月15日(2013.8.15)
【手続補正１】
【補正対象書類名】実用新案登録請求の範囲
【補正対象項目名】全文
【補正方法】変更
【補正の内容】
【実用新案登録請求の範囲】
【請求項１】
風杯（１）は中空の三角錐とし、風杯支持棒（３）及び取付け板（４）で東西南北に取付けることで構成される風車を同様に複数作成し、回転軸（２）の上下にナット（６）ワッシャ（７）スリーブ管（８）を用いて固定してなる垂直軸多段式風車。
【手続補正２】
【補正対象書類名】図面
【補正対象項目名】全図
【補正方法】変更
【補正の内容】
【図１】
0003186849.tif 000006
【図２】
0003186849.tif 000007
【図３】
0003186849.tif 000008
(57)【要約】      （修正有）【課題】乳児が空腹、おむつの汚れ以外でむずかり泣きやまない時に、あやす効果のある乳児用ハンモックセットを提供する。【解決手段】乳児用小型ハンモック１４と、伸縮可能器具付きベルト１６と、落下防止安全ベルト１７とからなる。伸縮可能器具付きベルトは、乳児用小型ハンモックを吊り下げるようにベビーベット１３に装着し、落下防止安全ベルトは、乳児用小型ハンモックを横切るようにベビーベッドに装着する。【選択図】図７
0003186845.tif 000002
【実用新案登録請求の範囲】
【請求項１】
ベビーベッドに装着する伸縮可能器具付きベルトで吊り下げる落下防止安全ベルト付き乳児用小型ハンモック
【考案の詳細な説明】
【技術分野】
【０００１】  本考案は  乳児用ハンモックに関するものである。
【背景技術】
【０００２】  乳児が空腹、おむつの汚れ以外でむずかり泣きやまぬ度に大人が抱き上げあやして泣きやませるのに難儀を期している。
【考案の概要】
【考案が解決しようとする課題】
【０００３】  乳児が空腹、おむつの汚れ以外でむずかり泣きやまぬ度に大人が抱き上げあやしているがその際、ベビーベッドにハンモックを取り付けこれを揺らしたりし乳児を泣き止ませるのである。
【課題を解決するための手段】
【０００４】  ベビーベッドに装着する伸縮可能器具付きベルトで吊り下げる落下防止安全ベルト付き乳児用小型ハンモック
【考案の効果】
【０００５】  乳児が空腹、おむつの汚れ以外でむずかり泣きやまぬ度に、大人が抱き上げあやしているがその際大人が乳児の身体を抱き上げ揺らすと泣き止む。この乳児の心理を利用しベビーベッドにハンモックを試作し取り付けこれを揺らしたところ不思議と乳児が泣き止み気持ち良く笑ったりスヤスヤと眠る現象が観られた。
また乳児には開放するよりもどちらかと言えば身体を締めつける方が安心感が有るようでハンモックで落下防止もふまえハンモックの深さをやや深くし身体の両サイドを外側のハンモック網とハンモック内の寝具で締めつけたところ機嫌が良かった。
更に寝返り等によるハンモックからの防止もふまえ安全ベルトを付ければ安心出来た。
【図面の簡単な説明】
【０００６】
【図１】  ベビーベットである。
【図２】  ハンモックである。
【図３】  ベビーベットに取り付けた乳児用ハンモックである。
【図４】  ベビーベットに乳児用ハンモック取り付け用フックである。
【図５】  小型乳児用ハンモックと伸縮可能器具付き取り付けベルト、フック、安全ベルトである。
【図６】  小型乳児用ハンモック取り付けベルトと伸縮器具である。
【図７】  断面図である。
【符号の説明】
【０００７】  １…  ベビーベットである。
２…  乳児用小型ハンモックである。
３…  ベビーベットに乳児用ハンモックを取り付けた状況である。
４〜７  …  ベビーベットに乳児用ハンモックを装着取り付け箇所である。
８…  落下防止ベルトである。
９…  伸縮可能器具である。
１０…  伸縮可能器具である。
１１…  乳児用ハンモックにベルト装着図である。
１２…  ベビーベットにハンモック装着図である。
１３…  ベビーベット外枠である。
１４…  乳児用ハンモックである。
１５…  取り付けフックである。
１６…  ベルト伸縮器具である。
１７…  落下防止安全ベルトである。
【考案を実施するための形態】
【０００８】  図において図３でベビーベットに乳児用ハンモックを吊り下げる。図４ではベビーベットの前後の外枠囲い部にフックで固定し乳児用ハンモックにもフックの取り付け両者を結合し吊り下げる。図５での装着の際ハンモックは大人が揺らしたり乳児が自己の身体の動きによりハンモックが揺れるようたるみを持たせる。図６は装着する際のフック、ベルト、伸縮可能な器具であり乳児が装着不備によりハンモックが落下しない様に強固なフック、ベルト、伸縮可能な器具ものとする。
以下扱い方について説明する。
ベビーベットに乳児用ハンモックを吊り下げるが乳児の育成発達状況と寝返り等によるハンモックからの落下防止面からハンモックを横切るように乳児腹部あたりに安全ベルトを取り付ける。この安全ベルトで乳児が動き首が閉まるような事故を防ぐために乳児の身体に安全ベルトを密着せずやや空間を持たせ乳児の腹部付近に装着し事故を防ぐ。
ハンモックから乳児が落下しないよう強固な装着とハンモックをやや深くしさらに安全ベルトを設置し不測の事故を防ぐ。
【図１】
0003186845.tif 000003
【図２】
0003186845.tif 000004
【図３】
0003186845.tif 000005
【図４】
0003186845.tif 000006
【図５】
0003186845.tif 000007
【図６】
0003186845.tif 000008
【図７】
0003186845.tif 000009
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
乳児用小型ハンモックと、伸縮可能器具付きベルトと、落下防止安全ベルトとからなる乳児用ハンモックセットであって、伸縮可能器具付きベルトは、乳児用小型ハンモックを吊り下げるようにベビーベットに装着可能であり、落下防止安全ベルトは、乳児用小型ハンモックを横切るようにベビーベッドに装着可能である、乳児用ハンモックセット。
(57)【要約】      （修正有）【課題】ダンパー組立後にもダンパーを組みなおす事無く、且つ経時変化することなく一定の加圧力を維持できるダンパーオイルへの加圧力を調整するラジコン車用ダンパー構造を提供する。【解決手段】ダイヤフラム１への荷重をかけるスポンジ２や、ダイヤフラム上部の密閉された空間の圧力の代わりにスプリング４を使用し、且つスプリングの弾性力を外部から調整できるようにねじを設置することによって、ダンパーセッティングの時間が大幅に短縮することが可能になり、且つ４本のダンパーの特性を容易に均一にすることが可能となった。【選択図】図３
0003186893.tif 000002
【実用新案登録請求の範囲】
【請求項１】
ラジコン車用のダンパーにおいて、ダイヤフラムへの荷重を経時変化することなく一定の荷重をかけることができるダイヤフラム抑え構造であり、ダイヤフラムの上部にスプリングを設置することを特長とするラジコン車用ダンパー構造。
【請求項２】
請求高１の記載したダンパー構造において、ダンパー組立後に外部からダイヤフラムにかける荷重を調整することができるようにスプリング上部にスプリングの弾性力を調整するためのねじを設置したことを特長とするラジコン車用ダンパー構造。
【請求項３】
請求項２の記載したねじを設置したダンパー構造において、調整用のねじを回すためにねじ上部のボールリンク部、ならびにダンパー側のボールリンク押さええ部にねじまで貫通する穴をあけたことを特長とするラジコン車用ダンパー構造。
【考案の詳細な説明】
【技術分野】
【０００１】  本考案はラジコン車用ダンパーに使用するダイヤフラムへの加圧構造に関する。
【背景技術】
【０００２】従来のラジコン車用ダンパー構造を図１に示す。図１の１に示す個所にダイヤフラムが使用されている。ダイヤフラムは主にシリコンゴムで形成されており、ダンパーオイルの漏れを防ぐと同時にダンパーオイルに対して圧力をかける役割を持っている。加圧力はダイヤフラム自身の弾性、図１の２に示したスポンジの反発力、及び図１の３に示す密閉された空間の圧力によって決まる。
【考案の概要】
【考案が解決しようとする課題】
【０００３】しかしながら上記背景技術によって記載したダンパーオイルへの加圧方法ではダンパーを組み立てる際の調整によって決まってしまい、ダンパー組立後にダンパーオイルへの加圧力を調整することができない課題があった。さらにダイヤフラムへの加圧をスポンジで行った場合、ダイヤフラムの上下運動によるスポンジの経時変化によって反発力が小さくなる、等の課題もあった。本考案はダンパー組立後にもタンパーを組みなおす事無く、且つ経時変化することなく一定の加圧力を維持できるダンパーオイルへの加圧力を調整するダイヤフラムへの加圧構造を提供することにある。
【課題を解決するための手段】
【０００４】本考案は図２の４に示すようにスポンジを入れる空間にスプリングを設置し、図２の５に示す位置にダンパーの外部からスプリングの弾性力を調整するねじを設置することによって、一定の加圧力をダイヤフラムを通してダンパーオイルへかけると同時にダンパーを組みなおす事無く組立後にダンパーオイルへの加圧力を調整することが可能となる。
【考案の効果】
【０００５】本考案の適用されたダイヤフラムへの加圧構造によって、従来ダンパーを組みなおす事でしかダンパーオイルへの加圧力を調整することができなかったが、ダンパーを組みなおす事無くダンパーオイルへの加圧力を調整することが可能になると同時に、加圧する弾性力をスプリングにすることによって、一定の加圧力を常にダンパーオイルへかけることが可能となる。このことによって、従来ダンパーの減衰力を調整するためのダンパー組み直しの手間が省けると同時にラジコンドリフト車に設置されている４本のダンパーの減衰力を等しくすることが可能となり、ドリフト車のセッティング時間を大幅に短縮する効果が期待できる。
【図面の簡単な説明】
【０００６】
【図１】従来のラジコン車用ダンパー構造である。
【図２】この考案のダンパーオイルへの加圧構造の図である。
【図３】従来のダンパー構造と本考案のダンパー構造の比較図である。
【考案を実施するための形態】
【０００７】本考案の一実施形態を図３に示す。図３は従来のダンパー構造と本考案のダンパー構造の比較図である。本考案ではダイヤフラムにかける荷重をスプリングに変更すること、且つスプリングの弾性力を図３の５に示したねじによって外部から調整することが可能となっている。
【０００８】「実施形態の効果」
本実施形態によって、ダンパーを組み直すことなくダンパーオイルへの加圧力を調整することが可能となり、ラジコン車のセッティング時間が大幅に短縮し、且つ４本のダンパーの状態を均一にすることが可能となる。
【符号の説明】
【０００９】１    ダイヤフラム
２    スポンジ
３    密閉空間
４    スプリング
５    ねじ
【図１】
0003186893.tif 000003
【図２】
0003186893.tif 000004
【図３】
0003186893.tif 000005
(57)【要約】      （修正有）【課題】準備に手間が掛からず、一人で簡単に作業ができるネイル装飾除去シートを提供する。【解決手段】アルミニウム材料から構成された２枚の基材シートａ，ｂの間に、ネイル専用除光液を含浸させたパッド３を挟み、基材シートａ，ｂの周縁部を結合し、シール袋を形成する。使用時には、シール袋の一片を切り取り、ジェルネイルが施された指（爪）を袋の中に入れ、袋の中のパッドが爪の上面に当たるようにする。この状態で適当な時間放置することで、ネイル専用除光液がジェルネイルに浸透する。最後に、シール袋から指を抜き、ネイルスティック等を用い爪の表面から溶解されたジェルネイルをこそぎ取る。【選択図】図８
0003186899.tif 000002
【実用新案登録請求の範囲】
【請求項１】
指先のネイル上に施されたネイル装飾を除去するためのネイル装飾除去シートであって、アルミニウム材料から構成された基材シートと、ネイル専用除光液を含浸させたパッドと、を備えることを特徴とするネイル装飾除去シート。
【請求項２】
前記基材シートが防水ラミネート加工されていることを特徴とする請求項１に記載のネイル装飾除去シート。
【請求項３】
前記基材シートの周縁部が結合されてシール袋になっていることを特徴とする請求項１に記載のネイル装飾除去シート。
【請求項４】
前記基材シート上部に剥離紙付き粘着シートを備えることを特徴とする請求項１に記載のネイル装飾除去シート。
【請求項５】
前記ネイル専用除光液に香料を含むことを特徴とする請求項１に記載のネイル装飾除去シート。
【考案の詳細な説明】
【考案の詳細な説明】
【技術分野】
【０００１】本考案は、主にジェルネイルやスカルプチャー等の人工爪を除去する際に用いるネイル装飾除去シートに関する。
【背景技術】
【０００２】従来、ジェルネイルを除去するためには、主にコットンやティッシュペーパーを爪のサイズに切り、それに除光液を付着させ、それを爪の上にのせ、アルミホイルを指に巻きつけてこれを保持し、しばらく放置する。そして、除光液によってジェルネイルの樹脂が軟化したところを、ネイルスティック等を用い自爪の表面からこそぎ取る方法が一般的である。
【考案の概要】
【考案が解決しようとする課題】
【０００３】ジェルネイルをオフするためには、爪の形や大きさにコットンやティッシュペーパーを切ったり、アセトンを付着させたコットンを爪に置き、アルミホイルで指先をラップする、といった作業をしなければならず、準備が面倒で時間がかかる。アセトンは危険有害性情報として、呼吸器への刺激のおそれ、長期又は反復ばく露による血液の障害のおそれがある、とされており、特にアセトンが手に触れる回数の多いプロのネイリストなどは、健康を害する可能性がある。また、アセトンは匂いが臭いため、長時間嗅いでいると気持ちが悪くなるという人もいる。外出先等でオフ作業を行う場合、コットン、アセトン、アルミホイルなどをそれぞれ別々に用意しなくてはならず、荷物がかさばるだけでなく、作業場所も広く取らなくてはならない。本考案は、以上の問題点を解決するためになされたものである。
【課題を解決するための手段】
【０００４】アルミニウム材料から構成された基材シート２枚の間に、香料を含むネイル専用除光液を含浸させたパッドを挟み、上記基材シートの周縁部を結合し、シール袋を形成する。使用時には、上記シール袋の一片を切り取り、ジェルネイルが施された指（爪）を袋の中に入れ、袋の中のパッドが爪の上面に当たるようにする。次に、指を入れた状態で、粘着テープの剥離紙を剥がし、シール袋を丸め、粘着テープに粘着させ指先全体をラップする。この状態で適当な時間放置することで、ネイル専用除光液がジェルネイルに浸透する。最後に、シール袋から指を抜き、ネイルスティック等を用い爪の表面から分離されたジェルネイルをこそぎ取る。
【考案の効果】
【０００５】従来、ネイル装飾の除去時にしていたパッドのカット作業、パッドにアセトンを含ませる作業、パッドを爪にのせた指先全体をアルミホイル等でラップする作業は、それぞれ別々に行う必要があったが、アルミニウム材料から構成された基材シート袋の中に、ネイル専用除光液を滲みこませたパッドを入れることにより、袋を開け中に爪を入れるだけで、ジェルネイルを簡単に爪から分離することができる。また、ジェルネイルの除去時に、アセトンをパッドに滲みこませる作業を必要としないため、毎日のように直接アセトンに触れている施術者（ネイリスト）は、健康を害することなく、ネイル装飾の除去作業ができる。しかも、本考案のネイル専用除光液は香料を含むため、嫌な匂いを抑え、快適に作業を行うことができる。また、パッド、ネイル専用除光液、アルミホイルを一体化させたことで、持ち運びが便利になり、作業場所も小さくて済む。
【図面の簡単な説明】
【０００６】
【図１】シートの一片を切り取った状態の実物図である。
【図２】シートを開いた状態の実物図である。
【図３】シート上面に設けた剥離紙付き粘着テープである。
【図４】シートに指を入れた状態の実物図である。
【図５】シートを粘着テープに粘着させ指先全体をラップした実物図である。
【図６】指をシートから抜いた状態の実物図である。
【図７】爪に施したジェルネイルが分離した状態の実物図である。
【図８】ネイル装飾除去シートの構成部品図である。
【図９】ネイル装飾除去シートの完成断面図である。
【考案を実施するための形態】
【実施例】
【０００７】以下使用方法を説明する。図８に示すようにネイル装飾除去シートの構成部品は、ラミネート加工シート（１）と、アルミホイル（２）とネイル専用除光液を含浸させたパッド（３）と、アルミホイル（４）とラミネート加工シート（５）と、剥離紙付き粘着テープ（６）である。基材シート（ａ）と、基材シート（ｂ）の間に、ネイル専用除光液を含浸させたパッド（３）を挟み、上記基材シート（ｂ）の上面に剥離紙付き粘着テープを設け、図９に示すように、シートの周縁部を結合し、シール袋を形成する。使用時には、図１および図３に示すように上記シール袋の一片を切り取り、図４に示すように、ジェルネイルが施された指（爪）を袋の中に入れ、袋の中のパッドが爪の上面にくるようにする。次に、図５に示すように、シール袋から簡単に指が抜けないようにするため、また除光液がしっかりと爪先に当たるように、指を入れた状態で、粘着テープの剥離紙を剥がし、シール袋を丸め、粘着テープに粘着させ、指先全体をラップする。この保持状態で適当な時間放置することで、ネイル専用除光液がジェルネイルに浸透する。最後に、図６に示すように、シール袋から指を抜き、ネイルスティック等を用い爪の表面から分離されたジェルネイルをこそぎ取る。
【図１】
0003186899.tif 000003
【図２】
0003186899.tif 000004
【図３】
0003186899.tif 000005
【図４】
0003186899.tif 000006
【図５】
0003186899.tif 000007
【図６】
0003186899.tif 000008
【図７】
0003186899.tif 000009
【図８】
0003186899.tif 000010
【図９】
0003186899.tif 000011
(57)【要約】      （修正有）【課題】帽子とスカーフ両用できる帽子を提供する。【解決手段】帽子本体１を含め、上述した帽子本体１の中部に縦方向でジッパー２が設置され、ジッパー２の下にジッパーヘッド３が設置される。ジッパー２を引き、帽子を展開すればスカーフとして使用することができ、持ち運びが簡単、簡単な構造と使いやすい利点を持つ。【選択図】図１
0003186884.tif 000002
【実用新案登録請求の範囲】
【請求項１】
両用帽子で、帽子本体を含め、その特徴は：上述した帽子本体の中部に縦方向でジッパーが設置され、ジッパーの下にジッパーヘッドが設置される。
【考案の詳細な説明】
【技術分野】
【０００１】
本実用新案は生活用品の分野に関与して、具体的には両用帽子である。
【背景技術】
【０００２】
現在の帽子では、種類が多く、形も多様であり、更に様々な保護機能を持つ。しかし、通常帽子とスカーフは独立していて、保管しにくい。
【考案の概要】
【考案が解決しようとする課題】
【０００３】
本実用新案で解決しようとする技術問題とは、帽子とスカーフ両用できる帽子を提供したい。
【課題を解決するための手段】
【０００４】
本実用新案では、次の技術的な案を通して、実現したものである：この実用新案の両用帽子は、帽子本体を含め、上述した帽子本体の中部に縦方向でジッパーが設置され、ジッパーの下にジッパーヘッドが設置される。
【考案の効果】
【０００５】
本実用新案の有益な効果とは：ジッパーを引き、帽子を展開すればスカーフとして使用することができ、持ち運びが簡単、簡単な構造と使いやすい利点を持つ。
【図面の簡単な説明】
【０００６】
【図１】本実用新案両用帽子の構造概略図である。
【考案を実施するための形態】
【０００７】
図1の様に、本実用新案の両用帽子は、帽子本体1を含め、上述した帽子本体1の中部に縦方向でジッパー2が設置され、ジッパー2の下にジッパーヘッド3が設置される。
【０００８】
本実用新案の有益な効果とは：ジッパーを引き、帽子を展開すればスカーフとして使用することができ、持ち運びが簡単、簡単な構造と使いやすい利点を持つ。
【０００９】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、請求の範囲で限定された範囲に準じる。
【符号の説明】
【００１０】
1  帽子本体
2  ジッパー
3  ジッパーヘッド
【図１】
0003186884.tif 000003
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
両用帽子で、円錐形状の帽子本体を含め、その特徴は：上述した帽子本体の頂部から底部方向にジッパーが設置され、ジッパーの下にジッパーヘッドが設置されることを特徴とする両用帽子。